【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
表示装置において、
画像担持光を生成する少なくとも１つの画像生成部と、
前記画像生成部から離間して、該画像生成部に対して凹状の非球面入射屈折面、および、該画像生成部に対して凹状の非球面反射面を有するレンズと、
前記画像生成部と前記レンズの間の自由空間に配置されて、観察者の視線に斜めである第１および第２の表面を有するビームスプリッタ板と、
を含み、
前記レンズおよび前記ビームスプリッタ板は、観察者アイボックスを、前記画像担持光について、前記観察者の視線に沿って画定するものである装置。
【請求項２】
前記ビームスプリッタ板の前記第１および第２の表面が、５０秒角以内で互いに平行である、請求項１に記載の表示装置。
【請求項３】
前記反射面の主軸に平行である軸を中心とした前記画像生成部の回転を、調節するように構成された調節部を、
更に含む、請求項１に記載の表示装置。
【請求項４】
前記画像生成部は、平坦表示面から、画像担持光の平坦領域を生成し、
前記レンズは、前記反射面の主軸が前記画像生成部に垂直となるように、該画像生成部から離間し、
前記ビームスプリッタ板の前記第１および第２の表面は、略平行で、前記観察者の視線に斜めである、請求項１に記載の表示装置。
【請求項５】
（ｉ）前記ビームスプリッタ板は、前記画像生成部に向いた面上に反射防止膜を含むものであるか、
（ｉｉ）前記ビームスプリッタ板は、偏光ビームスプリッタであるか、
（ｉｉｉ）前記ビームスプリッタ板は、偏光ビームスプリッタであり、前記表示装置は、前記画像生成部に隣接した偏光板、および、前記レンズと該ビームスプリッタの間に位置する１／４波長板を更に含むものであるか、
（ｉｖ）前記ビームスプリッタ板は、フュージョンドロー処理を用いて形成されたものであるか、または、
（ｖ）前記ビームスプリッタ板は、２５グラム未満の重量を有し、４０度を超える水平方向の全視野角を提供するものであるか、および／または、
前記ビームスプリッタ板は、３〜１５グラムの重量を有するものである、請求項４に記載の装置。
【請求項６】
前記観察者によってウエアラブルである、請求項４に記載の表示装置。
【請求項７】
（ｉ）前記画像担持光の光路内のフィールドレンズか、または、
（ｉｉ）前記画像担持光の光路内のフィールドレンズであって、該フィールドレンズは、前記画像生成部に直に隣接して位置し、非球面を含むものであるレンズか、
を更に含む、請求項４に記載の表示装置。
【請求項８】
表示装置において、
ａ）平坦画像生成部と、
ｂ）前記画像生成部から離間して、該画像生成部に対して凹状の非球面入射屈折面、および、該画像生成部に対して凹状で、該画像生成部に垂直である主軸を有する非球面反射面を有するレンズと、
ｃ）前記画像生成部と前記レンズの間の自由空間に、観察者の物体シーンの視線に沿って配置されて、前記視線に斜めで互いに略平行の第１および第２の表面を有するビームスプリッタ板と、
を含み、
更に、前記ビームスプリッタ板は、前記画像生成部からの画像担持光を前記レンズへと透過するように、配置され、
前記ビームスプリッタ板および前記レンズは、前記画像担持光を前記非球面入射屈折面で第１の屈折を生じるために送り、屈折した該光を前記非球面反射面で反射し、反射した該光を該非球面入射屈折面で屈折して、該レンズからの該光を観察者アイボックスに向けて前記観察者の視線に沿って反射する該ビームスプリッタ板へ戻す光路を、画定するものである装置。
【請求項９】
表示装置において、
平行な第１および第２の表面を有し、第１の観察者アイボックスを観察者の視線に沿って画定するように配置された第１のビームスプリッタ板と、
第１の仮想画像を前記第１の観察者アイボックスで形成する第１の仮想画像形成装置と、
を含み、
前記第１の仮想画像形成装置は、
（ｉ）前記第１のビームスプリッタ板から離間して、前記画像担持光の第１の平坦領域を該第１のビームスプリッタ板の前記第１の表面に向ける第１の画像生成部と、
（ｉｉ）前記第１の画像生成部に対して凹状の第１の非球面入射屈折面、および、該第１の画像生成部に対して凹状の第１の非球面反射面を有する第１のレンズと、
を含み、
前記第１の反射面の第１の主軸が、前記第１の画像生成部に垂直である装置。
【請求項１０】
平行な第３および第４の表面を有し、第２の観察者アイボックスを前記観察者の視線に沿って画定するように配置された第２のビームスプリッタ板と、
第２の仮想画像を前記第２の観察者アイボックスで形成する第２の仮想画像形成装置と、
を含み、
前記第２の仮想画像形成装置は、
（ｉ）前記第２のビームスプリッタ板から離間して、画像担持光の第２の平坦領域を該第２のビームスプリッタ板の前記第３の表面に向ける第２の画像生成部と、
（ｉｉ）前記第２の画像生成部に対して凹状の第２の非球面入射屈折面、および、該第２の画像生成部に対して凹状の第２の非球面反射面を有する第２のレンズと、
を含み、
前記第２の反射面の第２の主軸が、前記第２の画像生成部に垂直である、請求項９に記載装置。
【請求項１１】
前記第１および第２の画像生成部は、前記画像担持光を、対向する方向に向けるものである、請求項１０に記載の表示装置。
【請求項１２】
表示装置において、
左目および右目観察者アイボックスを観察者の対応する視線に沿って画定するように配置されて、前記視線に斜めで、互いに平行である第１および第２の表面を有するビームスプリッタ板と、
対応する前記観察者アイボックスで見る対応する左目または右目仮想画像を形成するように各々配置された左目仮想画像形成装置および右目仮想画像形成装置と、
を含み、
各前記仮想画像形成装置は、
（ｉ）前記のビームスプリッタ板から離間して、画像担持光の平坦領域を該ビームスプリッタ板の前記第１の表面に向ける画像生成部と、
（ｉｉ）前記ビームスプリッタ板の前記第２の表面から離間して、前記画像生成部に対して凹状の非球面入射屈折面、および、該画像生成部に対して凹状の非球面反射面を有する一体成形レンズと、
を含み、
前記反射面の主軸が、前記画像生成部に垂直である装置。
【請求項１３】
（ｉ）前記ビームスプリッタ板の第１の縁部が、前記一体成形レンズにヒンジ部で連結されたものであるか、
（ｉｉ）前記ビームスプリッタ板の第２の縁部が、個人用通信装置を前記画像生成部として受け付ける筐体に連結されたものであるか、
（ｉｉｉ）前記表示装置は、垂直方向について折り畳み自在であるか、または、
（ｉｖ）前記表示装置は、前記反射面の主軸に平行である軸を中心とした前記画像生成部の回転を調節するように構成された調節部を、更に含むものである、請求項１２に記載の表示装置
【請求項１４】
（ｉ）前記ビームスプリッタ板によって結合された後の物理的シーンからの光を透過する湾曲した保護遮蔽部か、
（ｉｉ）前記ビームスプリッタ板によって結合された後の前記物理的シーンからの光を透過すると共に、前記観察者に向いた面上に反射防止膜を含むものである湾曲した保護遮蔽部か、または、
（ｉｉｉ）前記ビームスプリッタ板によって結合された後の物理的シーンからの光を透過すると共に、撥油および／または曇り防止膜を含む湾曲した保護遮蔽部か、
を更に含む、請求項１から１３のいずれか１項に記載の表示装置。
【請求項１５】
物体シーンについての前記観察者の視野角が、仮想画像が形成される視野角より大きくなるように、前記ビームスプリッタ板、前記画像生成部、および、前記レンズの寸法および向きを選択したものである、請求項１から１３のいずれか１項に記載の表示装置。
【請求項１６】
ＧＰＳセンサ、少なくとも片目のアイトラッキングセンサ、加速度計、および、前記観察者の目、または、該観察者が観察しているシーンを見るように構成されたカメラの少なくとも１つを、
更に含む、請求項１から１５のいずれか１項に記載の表示装置。
【請求項１７】
前記観察者の目、または、該観察者が観察しているシーンを見るように構成された少なくとも１つのカメラを、
更に含む、請求項１から１６のいずれか１項に記載の表示装置。
【請求項１８】
実施形態５９  
画像担持光を観察者に送る方法において、
（ａ）前記観察者の真っ直ぐな視線の近傍であるが、その外側に位置する画像生成部から、画像担持光を出射する工程と、
（ｂ）前記画像担持光を、ビームスプリッタ板を通って進行するように向ける工程と、
（ｃ）前記画像担持光を、１回目に屈折する工程と、
（ｄ）前記画像担持光を、レンズから、前記ビームスプリッタ板に向けて戻すように反射する工程と、
（ｅ）前記ビームスプリッタ板に進行する前に、前記画像担持光を、２回目に屈折する工程と、
（ｆ）前記２回目の屈折工程の後に、前記画像担持光を、前記ビームスプリッタ板から離れて、前記観察者の視線の中に反射する工程と、
を含む方法。
【請求項１９】
前記１回目および２回目の屈折工程、並びに、前記反射工程は、前記画像を反射する反射性凹面を有する単一のレンズを用いて実現されるものである、請求項１８に記載の方法。